(57)【要約】【課題】太陽エネルギを利用して、海水を効率よく蒸留可能な水蒸留システムを提供する。【解決手段】水蒸留システム１００は、海水Ｌ１よりも高濃度の塩水Ｌ２が貯留される貯留部１と、一端部が、水源Ｓ１の海水Ｌ１と連通し、他端部が、貯留部１の塩水Ｌ２と連通する導水管２と、導水管２に装着された半透膜３と、浸透作用により導水管２を介して貯留部１に導かれた塩水Ｌ２を、太陽エネルギを用いて蒸留する蒸留部４とを備える。【選択図】図１
2018065100.tif 000002
【特許請求の範囲】
【請求項１】
海水または淡水からなる第１液体を水源に用いて蒸留を行う水蒸留システムであって、
前記第１液体よりも高濃度の第２液体が貯留される貯留部と、
一端部が前記第１液体と連通し、他端部が前記貯留部の前記第２液体と連通する導管部と、
前記導管部に装着された半透膜と、
浸透作用により前記導管部を介して前記貯留部に導かれた前記第２液体を、太陽エネルギを用いて蒸留する蒸留部と、を備えることを特徴とする水蒸留システム。
【請求項２】
請求項１に記載の水蒸留システムにおいて、
前記蒸留部は、密閉空間を形成する密閉空間形成部と、前記密閉空間での前記第２液体の蒸発によって得られた蒸留水を集水する集水部と、を有することを特徴とする水蒸留システム。
【請求項３】
請求項２に記載の水蒸留システムにおいて、
前記密閉空間は、前記貯留部の上方を覆うように形成されることを特徴とする水蒸留システム。
【請求項４】
請求項２に記載の水蒸留システムにおいて、
前記密閉空間形成部は、底面に上下方向に傾斜した傾斜面を有し、
一端部が前記貯留部の前記第２液体に連通するとともに、他端部が前記傾斜面の上方に配置されて、前記傾斜面の上方から前記密閉空間に前記第２液体を供給する第２液体供給管部をさらに備えることを特徴とする水蒸留システム。
【請求項５】
請求項１〜４のいずれか１項に記載の水蒸留システムにおいて、
取水管を介して供給された前記第１液体を貯留する第１液体貯留部と、
前記取水管に設けられ、前記第１液体貯留部への前記第１液体の供給量を調整する供給量調整部と、をさらに備え、
前記導管部の前記一端部は、前記第１液体貯留部の前記第１液体と連通することを特徴とする水蒸留システム。
【請求項６】
請求項１〜５のいずれか１項に記載の水蒸留システムにおいて、
前記半透膜よりも前記貯留部側における前記導管部の内部に前記第２液体を充填する第２液体充填部をさらに備えることを特徴とする水蒸留システム。
【請求項７】
請求項６のいずれか１項に記載の水蒸留システムにおいて、
前記第２液体充填部は、
前記半透膜よりも前記貯留部側において前記導管部から分岐し、前記導管部に前記第２液体を供給する分岐管部と、
前記分岐管部から前記導管部への前記第２液体の充填量を調整する充填量調整部と、を有することを特徴とする水蒸留システム。
【発明の詳細な説明】
【技術分野】
【０００１】
本発明は、海水や淡水を水源として蒸留水を得る水蒸留システムに関する。
【背景技術】
【０００２】
従来より、太陽エネルギを利用することにより海水を蒸留して飲料水等を得るようにしたシステムが提案されている（例えば特許文献１参照）。この特許文献１記載のシステムは、海面上に浮設された親水性膜のベースと、ベースに連結され、ベースの上方にドーム状空間を形成する構造体とを有し、ベースを通過した水蒸気をドーム状空間の内部で凝縮させて蒸留水を得る。
【先行技術文献】
【特許文献】
【０００３】
【特許文献１】特表２００３−５０６２１２号公報
【発明の概要】
【発明が解決しようとする課題】
【０００４】
しかしながら、上記特許文献１記載のシステムは、海水の蒸発によりドーム状空間に水蒸気を発生させるため、効率的な蒸留を行うことができない。
【課題を解決するための手段】
【０００５】
本発明の一態様は、海水または淡水からなる第１液体を水源に用いて蒸留を行う水蒸留システムであって、第１液体よりも高濃度の第２液体が貯留される貯留部と、一端部が第１液体と連通し、他端部が貯留部の第２液体と連通する導管部と、導管部に装着された半透膜と、浸透作用により導管部を介して貯留部に導かれた第２液体を、太陽エネルギを用いて蒸留する蒸留部と、を備える。
【発明の効果】
【０００６】
本発明によれば、第１液体と第１液体よりも高濃度の貯留部の第２液体とを、半透膜を介して導管部により連通させるので、浸透作用によって導管部を介した貯留部への流れが生じ、第１液体を水源に用いて効率よく蒸留することができる。
【図面の簡単な説明】
【０００７】
【図１】本発明の第１の実施形態に係る水蒸留システムの概略構成を示す図。
【図２】本発明の第２の実施形態に係る水蒸留システムの概略構成を示す図。
【図３】図２の蒸留部の変形例を示す図。
【図４】本発明の第１の変形例に係る水蒸留システムの概略構成を示す図。
【図５】本発明の第２の変形例に係る水蒸留システムの概略構成を示す図。
【図６】本発明の第３の変形例に係る水蒸留システムの概略構成を示す図。
【図７】本発明の第４の変形例に係る水蒸留システムの概略構成を示す図。
【発明を実施するための形態】
【０００８】
−第１の実施形態−
以下、図１を参照して本発明の第１の実施形態について説明する。図１は、本発明の第１の実施形態に係る水蒸留システムの概略構成を示す図である。この水蒸留システムは、太陽エネルギを利用し、海水または淡水を水源として蒸留水を得るように構成される。なお、以下では、海水を水源として蒸留水を得る例を説明する。
【０００９】
図１に示すように、水蒸留システム１００は、海水Ｌ１よりも塩分濃度の高い塩水Ｌ２が貯留された貯留部１と、一端部２ａが水源Ｓ１としての海水Ｌ１（海）と連通し、他端部２ｂが貯留部１に貯留された塩水Ｌ２と連通する導水管２と、導水管２に装着された半透膜３と、貯留部１に貯留された塩水Ｌ２を蒸留する蒸留部４とを備える。貯留部１は、容器１１を有し、容器１１に塩水Ｌ２が貯留される。なお、第１の実施形態では、貯留部１（容器１１）が蒸留部４の一部を構成する。
【００１０】
蒸留部４は、容器１１の上方を覆うドーム形状のカバー４１を有し、容器１１とカバー４１とにより、ドーム状の密閉空間４２が形成される。貯留部１は、屋外、例えば海面Ｓａよりも高所の陸地に設置される。貯留部１に貯留された塩水Ｌ２の温度は、カバー４１の上面に照射される太陽光（太陽エネルギ）の熱により上昇する。なお、カバー４１は、太陽光の熱を効率よく透過できる材料、容器１１は熱吸収性材料で構成される。
【００１１】
塩水Ｌ２の温度が上昇すると、塩水Ｌ２は蒸発し、水蒸気となる。この水蒸気は、夜間等において密閉空間４２の温度が低下すると凝縮されて水滴となり、水滴はカバー４１の内壁を伝わって滴下する。カバー４１の下端部には、カバー４１の内壁の全周にわたり、水滴を受水する桶部４３が設けられる。桶部４３には配管４４が接続され、桶部４３に滴下した蒸留水は、配管４４を介して蒸留部４の外部の貯水槽５に導かれ、貯水槽５に貯留される。貯水槽５に貯留された蒸留水は、蛇口５０を介して取り出すことができ、例えば飲料水として用いることができる。なお、半透膜３の孔径は１ｎ（ナノ）ｍ程度の極小のため、飲用に対する浄化処理は必要としない。
【００１２】
このように本実施形態では、水源Ｓ１としての海とは別に設けた有限体積の貯留部１に塩水Ｌ２を貯留する。したがって、塩水Ｌ２は、海水Ｌ１よりも温度上昇の程度が大きく、これにより太陽エネルギを用いて塩水Ｌ２を効率よく蒸発させ、効率的に蒸留水を得ることができる。この場合、海から貯留部１まで、塩水Ｌ２の元となる海水Ｌ１を移送する必要があるが、これをポンプ等の動力を用いて行うと、大がかりな設備が必要となり、水蒸留システム１００の設置コストおよびランニングコストが上昇する。そこで、本実施形態では、これらのコストを削減するために以下のように半透膜３を介した浸透現象を利用して海水Ｌ１の移送を行う。
【００１３】
図１に示すように、導水管２の一端部２ａは、海中に配置される。この導水管２の一端部２ａは、透過水を効率よく集める形状で、例えば円錐状に拡径され、その端面に給水口２０が形成される。給水口２０には、その全面にわたり半透膜３が装着される。導水管２は、一端部２ａから鉛直上方に延在する鉛直管部２１と、鉛直管部２１から屈曲して水平方向に延在する水平管部２２と、水平管部２２から屈曲して鉛直下方に延在する鉛直管部２３とを有し、全体が略コ字状を呈する。導水管２の他端部２ｂ（鉛直管部２３の先端部）は、貯留部１に貯留された塩水Ｌ２内に配置される。
【００１４】
導水管２には、導水管２の内部に塩水Ｌ２を充填する充填部３０が設けられる。充填部３０は、導水管２から分岐した分岐管３１を有する。より具体的には、分岐管３１は、手動操作可能な開閉バルブ３２を介して鉛直管部２１と水平管部２２との交差部に接続される。分岐管３１の上端部には、注入口３３が設けられ、開閉バルブ３２の開閉に応じて注入口３３から導水管２内に塩水Ｌ２を注入可能である。これにより導水管２内の全体を塩水Ｌ２で充填することができるとともに、導水管２を介して貯留部１に塩水Ｌ２を供給し、貯留部１に塩水Ｌ２を貯留することができる。
【００１５】
貯留部１における塩水Ｌ２の濃度は、海水Ｌ１の濃度よりも高く設定される。一例を挙げると、塩水Ｌ２の濃度は、海水Ｌ１の濃度（例えば３．５％）の２倍程度（７％程度）に設定される。半透膜３は、一定の大きさ以下のイオンや分子を透過させる膜である。海水Ｌ１と塩水Ｌ２とでは濃度差があるため、海水Ｌ１から塩分（溶質）を除いた水（溶媒）が半透膜３を透過して導水管２内に移動し（浸透現象）、塩水Ｌ２の一部となる。これにより導水管２の一端部２ａから他端部２ｂにかけて塩水Ｌ２が流れ、他端部２ｂから貯留部１内に流出する。
【００１６】
なお、海水Ｌ１と塩水Ｌ２との濃度差により、導水管２内には浸透圧が生じるが、導水管２の一端部２ａから最上部（水平管部２２）までの高さＬ０は、この浸透圧により生じ得る海水Ｌ１と塩水Ｌ２の液面高さの差（例えば、Ｕ字管に半透膜を介して海水Ｌ１と塩水Ｌ２とを収容したときに生じる液面高さの差）よりも小さく設定される。これにより、海水Ｌ１（厳密には半透膜３を透過した海水Ｌ１の一部である水）は重力に抗して水平管部２２まで上昇することができ、海水Ｌ１を海面Ｓａよりも高所に位置する貯留部１まで移送することができる。
【００１７】
次に、本発明の第１の実施形態に係る水蒸留システム１００の動作の一例について説明する。図１に示すように、導水管２内に海水Ｌ１よりも高濃度の塩水Ｌ２が満たされた状態においては、浸透現象により海水Ｌ１の一部が給水口２０の半透膜３を通過して導水管２内に流入し、塩水Ｌ２となる。これにより導水管２内の塩水Ｌ２が貯留部１に移送される。貯留部１（蒸留部４）において、塩水Ｌ２は、太陽エネルギの熱により蒸発し、水蒸気が発生する。この水蒸気は凝縮されて水滴となり、水滴はカバー４１の内壁を伝わって桶部４３に滴下し、配管４４を介して貯水槽５に貯留される。
【００１８】
この場合、半透膜３を介して導水管２内に海水Ｌ１の一部の水が流入するが、その分、貯留部１で水が蒸発するため、結果的には導水管２内の塩水Ｌ２の濃度はほぼ一定に保たれる。したがって、貯留部１への海水Ｌ１の移送を継続して行うことができる。以上により、海水Ｌ１を汲み上げるためのポンプ等の動力を用いることなく、自然エネルギのみを用いて、効率的に海水Ｌ１を蒸留することができ、海水Ｌ１の淡水化が可能となる。
【００１９】
本発明の第１の実施形態によれば以下のような作用効果を奏することができる。
（１）水蒸留システム１００は、海水Ｌ１よりも高濃度の塩水Ｌ２が貯留される貯留部１と、一端部が、水源Ｓ１である海水Ｌ１と連通し、他端部が、貯留部１の塩水Ｌ２と連通する導水管２と、導水管２に装着された半透膜３と、浸透作用により導水管２を介して貯留部１に導かれた塩水Ｌ２を、太陽エネルギを用いて蒸留する蒸留部４とを備える（図１）。これによりポンプ等の動力を用いずに、半透膜３を透過した海水Ｌ１（塩水Ｌ２）を貯留部１に移送し、貯留部１で蒸留を行うことができる。その結果、海で海水Ｌ１を蒸発させる場合に比べ、液体（塩水Ｌ２）を効率よく蒸発させることができ、効率的な蒸留を行うことができる。
【００２０】
（２）蒸留部４は、密閉空間４２を形成する容器１１およびカバー４１と、密閉空間４２での塩水Ｌ２の蒸発によって得られた蒸留水を集水する桶部４３とを有する（図１）。これによりポンプ等の動力を用いずに、蒸留部４で塩水Ｌ２から蒸留水を得ることができる。
【００２１】
（３）密閉空間４２は、貯留部１（容器１１）の上方を覆うように形成される（図１）。これにより貯留部１で蒸留が行われるようになるため、貯留部１とは別に蒸留部４を設ける必要がなく、全体構成を簡素化できる。
【００２２】
（４）水蒸留システム１００は、半透膜３よりも貯留部１側における導水管２の内部に塩水Ｌ２を充填する充填部３０をさらに備える（図１）。これにより導水管２の内部が塩水Ｌ２で満たされ、導水管２内で浸透作用を得ることが可能となる。
【００２３】
（５）充填部３０は、半透膜３よりも貯留部１側において導水管２から分岐し、導水管２に塩水Ｌ２を供給する分岐管３１と、分岐管３１から導水管２への塩水Ｌ２の充填量を調整する開閉バルブ３２とを有する（図１）。これにより導水管２への塩水Ｌ２の充填量を調整することができ、導水管２内の塩水Ｌ２の濃度調整が容易である。
【００２４】
−第２の実施形態−
図２，３を参照して本発明の第２の実施形態について説明する。第２の実施形態では、第１の実施形態と異なり、貯留部１とは別に蒸留部４を設ける。図２は、本発明の第２の実施形態に係る水蒸留システム１０１の概略構成を示す図である。なお、図１と同一の箇所には同一の符号を付し、以下では、第１の実施形態との相違点を主に説明する。
【００２５】
図２に示すように、海には、配管３５を介して受水槽３６が接続される。配管３５には開閉バルブ３７が設けられ、開閉バルブ３７の開閉量に応じて受水槽３６に海水Ｌ１が供給される。受水槽３６の海水Ｌ１には、半透膜３が装着された導水管２の一端部２ａが連通する。なお、受水槽３６は、開閉バルブ３７の開閉量に応じて適度な量の海水Ｌ１で満たされており、受水槽３６の海水Ｌ１が、水源Ｓ１の下流の水源Ｓ２として用いられる。
【００２６】
導水管２の他端部２ｂは、貯留部１に貯留された塩水Ｌ２に連通する。これにより受水槽３６の海水Ｌ１が、浸透作用によって半透膜３を介し海面Ｓａよりも高所に設けられた貯留部１まで移送される。貯留部１は、容器１１の側壁から略水平方向に延在する配管１２を有し、配管１２の一端部１２ａは、容器１１内の塩水Ｌ２に連通する。
【００２７】
蒸留部４の底面には、円錐面状に上下方向に傾斜した傾斜面４５が形成される。傾斜面４５は、太陽光の吸収効率を高めるように例えば黒色に構成される。なお、傾斜面４５は、蓄熱性に優れた材料によって構成することが好ましい。配管１２の他端部１２ｂは、密閉空間４２の中央部における傾斜面４５の最上部の上方に配置される。これにより配管１２を介して傾斜面４５の上方から密閉空間４２内に塩水Ｌ２が供給される。
【００２８】
密閉空間４２に供給された塩水Ｌ２は、傾斜面４５に沿って下方に流れるため、塩水Ｌ２の蒸発が促進される。塩水Ｌ２の蒸発により密閉空間４２内に水蒸気が生じることで、蒸留部４で蒸留水を得ることができる。傾斜面４５の最下部には、全周にわたって溝部４６が設けられ、傾斜面４５で蒸発せずに外周部に流れた塩水Ｌ２は溝部４６に貯留される。
【００２９】
図３は、図２の蒸留部４の変形例を示す図である。図２では、カバー４１を貫通した配管１２が密閉空間４２内を水平方向に延設されるが、図３では、配管１２がカバー４１の最上部を貫通して下方に突設される。また、図３に示す傾斜面４５は、その最上部から最下部にかけて傾きが徐々に大きくなるように、例えば放物線を水平に倒した曲線によって構成される。さらに傾斜面４５には、最上部から最下部にかけて螺旋状の溝４７が設けられ、塩水Ｌ２は溝４７に沿って流れる。これにより傾斜面４５上における塩水Ｌ２の流路が長くなる。この場合、傾斜面４５の上方にいくほど傾斜が緩やかとなるため、塩水Ｌ２は、傾斜面４５の上部においてゆっくりと流れる。このような構成により、塩水Ｌ２の蒸発を一層促進することができる。
【００３０】
図２に示すように、水蒸留システム１０１は、貯留部１の塩水Ｌ２の水位ｈ１を検出する水位計５１と、蒸留部４の溝部４６に溜まった塩水Ｌ２の水位ｈ２を検出する水位計５２とを有する。開閉バルブ３７は、電磁式開閉バルブであり、コントローラ３８により開閉動作が制御される。すなわち、コントローラ３８は、水位計５１，５２により検出された水位ｈ１，ｈ２がそれぞれ所定範囲を超えないように開閉バルブ３７を制御し、海から受水槽３６への海水Ｌ１の供給量を調整する。これにより塩水Ｌ２のオーバーフローを防ぐことができる。
【００３１】
本発明の第２の実施形態によれば、第１の実施形態で述べた作用効果に加え、以下のような作用効果を奏することができる。
（１）蒸留部４は、密閉空間４２の底面に、上下方向に傾斜した傾斜面４５を有する（図２）。水蒸留システム１００は、一端部が貯留部１の塩水Ｌ２に連通するとともに、他端部が傾斜面４５の上方に配置されて、傾斜面４５の上方から密閉空間４２に塩水Ｌ２を導く配管１２をさらに備える（図２）。これにより蒸留部４では、傾斜面４５に沿って塩水Ｌ２が流れるようになるため、塩水Ｌ２の蒸発を促進することができる。
【００３２】
（２）配管３５を介して供給された海水Ｌ１を貯留する受水槽３６と、配管３５に設けられ、受水槽３６への海水Ｌ１の供給量を調整する開閉バルブ３７とをさらに備え、導水管２の一端部２ａは、受水槽３６の海水Ｌ１と連通する（図２）。これにより受水槽３６における海水Ｌ１の貯留量を調整することができ、受水槽３６の下流における貯留部１や蒸留部４での塩水Ｌ２のオーバーフローを防止することができる。
【００３３】
−変形例−
本発明は、上記実施形態に限らず、種々の形態に変形することができる。以下、変形例（他の実施形態）について説明する。図４は、本発明の第１の変形例に係る水蒸留システム１０２の概略構成を示す図である。なお、図４では、導水管２に接続される充填部３０の図示を省略する。図４に示すように、第１の変形例では、貯留部１と蒸留部４とがフロート６０を介して海面Ｓａの上方に設置されるとともに、貯留部１が海底に固定される。密閉空間４２には、例えば植物６１が配置される。この構成によれば、塩水Ｌ２の蒸発によって生じた水蒸気を用いて、植物６１を栽培することができる。
【００３４】
図５は、本発明の第２の変形例に係る水蒸留システム１０３の概略構成を示す図である。なお、図５においても、図４と同様、導水管２に接続される充填部３０の図示を省略する。図５に示すように、第２の変形例では、貯留部１の下方にソーラーパネル６２が配置される。これにより太陽エネルギを用いて発電を行うとともに、ソーラーパネル６２の熱により貯留部１の塩水Ｌ２の温度上昇を促進することができる。なお、図５では、密閉空間４２の中央部に受水槽６３が設けられ、受水槽６３に蒸留水が溜められる。
【００３５】
図６は、本発明の第３の変形例に係る水蒸留システム１０４の概略構成を示す図である。図６では、複数の貯留部１（第１貯留部１Ａ、第２貯留部１Ｂ、第３貯留部１Ｃ）が設けられるとともに、これに対応して複数の導水管２（第１導水管２Ａ、第２導水管２Ｂ、第３導水管２Ｃ）が設けられる。なお、図６においても、図４と同様、各導水管２に接続される充填部３０の図示を省略する。第１貯留部１Ａは海面Ｓａよりも高所に位置し、第２貯留部１Ｂは第１貯留部１Ａよりも高所に位置し、第３貯留部１Ｃは第２貯留部１Ｂよりも高所に位置する。第３貯留部１Ｃに蒸留部４が設けられる。
【００３６】
第１導水管２Ａの内部および第１貯留部１Ａは、海水Ｌ１よりも高濃度の第１塩水Ｌ２Ａで満たされ、第２導水管２Ｂの内部および第２貯留部１Ｂは、第１塩水Ｌ２Ａよりも高濃度の第２塩水Ｌ２Ｂで満たされ、第３導水管２Ｃの内部および第３貯留部１Ｃは、第２塩水Ｌ２Ｂよりも高濃度の第３塩水Ｌ２Ｃで満たされる。この構成により、海水Ｌ１を第１貯留部１Ａ、第２貯留部１Ｂ、第３貯留部１Ｃへと順次移送することができる。したがって、蒸留部４を山や丘の上等の高所に設置することができ、高所で蒸留水を容易に得ることができる。
【００３７】
上記実施形態では、海水Ｌ１を蒸留するようにしたが、川の水や地下水等の淡水を蒸留することもできる。すなわち第１液体は海水ではなく淡水であってもよい。図７は、本発明の第４の変形例に係る水蒸留システム１０５の概略構成を示す図であり、第１液体として井戸水を蒸留する例を示す図である。なお、図７では、導水管２に接続される充填部３０の図示を省略する。図７に示すように、半透膜３が装着された導水管２の一端部２ａは、井戸７の井戸水Ｌ３に連通し、他端部２ｂは、貯留部１に貯留された井戸水Ｌ３よりも高濃度の塩水Ｌ２（第２液体）に連通する。これにより半透膜３を介して井戸水Ｌ３が導水管２内に移動し、井戸水Ｌ３を水源とした塩水Ｌ２から蒸留水を得ることができる。
【００３８】
なお、上記実施形態では、海水Ｌ１と塩水Ｌ２とを導水管２を介して連通するようにしたが、一端部が、海や川、井戸等の第１液体（海水Ｌ１、井戸水Ｌ３等）と連通し、他端部が、貯留部１の第２液体（塩水Ｌ２）と連通するのであれば、導管部としの導水管２の構成はいかなるものでもよい。上記実施形態では、導水管２の一端部２ａに半透膜３を装着したが、半透膜３の装着位置はこれに限らず、半透膜が第１液体に没していれば、例えば導水管２の中央部に装着してもよい。上記実施形態では、ドーム状のカバー４１を用いて塩水Ｌ２が蒸発する密閉空間４２を形成したが、空間形成部の構成はこれに限らない。上記実施形態では、カバー４１の内壁に桶部４３を設けるようにしたが、第２液体の蒸発により得られる蒸留水を集水する集水部の構成はこれに限らない。
【００３９】
上記実施形態（図２）では、傾斜面４５の上方に、一端部が貯留部１の塩水Ｌ２に連通した配管１２の他端部を配置するようにしたが、第２液体を密閉空間に導く大２液体供給管部の構成はこれに限らない。上記実施形態（図２）では、配管３５（取水管）を介して供給された海水Ｌ１を受水槽３６に貯留するようにしたが、第１液体貯留部の構成はこれに限らない。配管３５に設けられる供給量調整部としての開閉バルブ３７の構成はいかなるものでもよい。上記実施形態では、導水管２から分岐した分岐管３１（分岐管部）と、分岐管３１から導水管２への塩水Ｌ２の充填量を調整する開閉バルブ３２（充填量調整部）とを有する充填部３０（液体充填部）を設けるようにしたが、第２液体充填部の構成はこれに限らない。
【００４０】
以上の説明はあくまで一例であり、本発明の特徴を損なわない限り、上述した実施形態により本発明が限定されるものではない。上記実施形態と変形例とを任意に組み合わせることが可能である。
【符号の説明】
【００４１】
１  貯留部、２  導水管、３  半透膜、４  蒸留部、１２  配管、３０  充填部、３１  分岐管、３２  開閉バルブ、３６  受水槽、３７  開閉バルブ、４１  カバー、４２  密閉空間、４３  桶部、４５  傾斜面、１００〜１０５  水蒸留システム、Ｌ１  海水、Ｌ２  塩水、Ｓ１  水源
【図１】
2018065100.tif 000003
【図２】
2018065100.tif 000004
【図３】
2018065100.tif 000005
【図４】
2018065100.tif 000006
【図５】
2018065100.tif 000007
【図６】
2018065100.tif 000008
【図７】
2018065100.tif 000009